(57)【要約】【課題】複数の電子機器ユニットを筐体に収容した電子機器装置において、複数の電子機器ユニット全てに冷却用ファンを設けなくても、全ての発熱部を冷却できるようにする。【解決手段】第一電子機器ユニット２０が、第一ユニットケース２１と、その前端部２３に形成された吸気口２５から後端部２４に形成された排気口２６に向けてエアーを流す冷却用ファン２２とを備え、第二電子機器ユニット３０が、第一電子機器ユニットに対して第一ユニットケース内におけるエアーの流れ方向ＦＬ１の直交方向に隣り合わせて配される第二ユニットケース３１と、第二ユニットケースに設けられた発熱部３２とを備え、第二ユニットケースに、前記流れ方向ＦＬ１に流れるエアーを第二ユニットケース内に流入させる吸気孔３６と、第二ユニットケース内に流入して発熱部近傍を通過したエアーを第二ユニットケース外に排出する排気孔３７とを形成した電子機器装置１を提供する。【選択図】図２
2014053569.tif 000002
【特許請求の範囲】
【請求項１】
筐体と、該筐体に対して挿脱可能に収容される複数の電子機器ユニットとを備える電子機器装置であって、
複数の電子機器ユニットのうち第一電子機器ユニットが、第一ユニットケースと、該第一ユニットケースの前端部に形成された吸気口から後端部に形成された排気口に向けてエアーを流す冷却用ファンとを備え、
複数の電子機器ユニットのうち第二電子機器ユニットが、前記筐体に収容された状態で前記第一電子機器ユニットに対して前記第一ユニットケース内における前記エアーの流れ方向の直交方向に隣り合わせて配される第二ユニットケースと、該第二ユニットケースに設けられた発熱部とを備え、
前記第二ユニットケースには、前記流れ方向に流れる前記エアーを前記第二ユニットケース内に流入させる吸気孔と、該吸気孔から前記第二ユニットケース内に流入して前記発熱部近傍を通過したエアーを前記第二ユニットケース外に排出する排気孔とが形成されていることを特徴とする電子機器装置。
【請求項２】
前記第二ユニットケースの排気孔が、外部に対して前記第一ユニットケースの吸気口と異なる方向に開口していることを特徴とする請求項１に記載の電子機器装置。
【請求項３】
前記第二電子機器ユニットの発熱部が、前記第二ユニットケースの後端部に設けられ、
前記筐体に収容された前記第一ユニットケースの後端部側には、前記排気口から流れ出た前記エアーにより前記第二ユニットケースの後端部において渦流を発生させる渦流発生部材が設けられていることを特徴とする請求項１又は請求項２に記載の電子機器装置。
【請求項４】
前記渦流発生部材は、前記第二ユニットケースとの間に隙間を形成するように、かつ、前記第一ユニットケース内におけるエアーの流れ方向に沿う前記渦流発生部材の位置が前記第二ユニットケースの後端部に一致するように配されていることを特徴とする請求項３に記載の電子機器装置。
【請求項５】
複数の前記第一電子機器ユニットが、同一の前記第二電子機器ユニットに隣り合わせて配されていることを特徴とする請求項１から請求項４のいずれか一項に記載の電子機器装置。
【発明の詳細な説明】
【技術分野】
【０００１】
この発明は、電子機器装置に関する。
【背景技術】
【０００２】
従来の電子機器装置には、筐体の各収容部に対して複数の電子機器ユニットを挿抜可能に収容して構成されたものがある。この種の電子機器装置において、各電子機器ユニットには電子機器装置の稼動時に発熱する電子部品（発熱部）が搭載されている。
このため、従来では、例えば特許文献１のように、各々の電子機器ユニット（電源、受電用電源、ＤＥゲージ、ＤＡＣゲージなど）に冷却用のファンを設けることで、各々の電子機器ユニットに設けられた発熱部の冷却を行っている。
【先行技術文献】
【特許文献】
【０００３】
【特許文献１】特開２００５−５６４９９号公報
【発明の概要】
【発明が解決しようとする課題】
【０００４】
しかしながら、上記従来の電子機器装置のように、全ての電子機器ユニットに冷却用ファンを設けてしまうと、点検・修理すべき冷却用ファンの数が多くなってしまう。すなわち、電子機器装置のメンテナンスが面倒である。また、電子機器装置の製造コストが高くなる、という問題もある。
【０００５】
本発明は、上述した事情に鑑みたものであって、複数の電子機器ユニット全てに冷却用ファンを設けなくても、全ての発熱部を効率よく冷却可能な電子機器装置を提供することを目的とする。
【課題を解決するための手段】
【０００６】
この課題を解決するために、本発明の電子機器装置は、筐体と、該筐体に対して挿脱可能に収容される複数の電子機器ユニットとを備える電子機器装置であって、複数の電子機器ユニットのうち第一電子機器ユニットが、第一ユニットケースと、該第一ユニットケースの前端部に形成された吸気口から後端部に形成された排気口に向けてエアーを流す冷却用ファンとを備え、複数の電子機器ユニットのうち第二電子機器ユニットが、前記筐体に収容された状態で前記第一電子機器ユニットに対して前記第一ユニットケース内における前記エアーの流れ方向の直交方向に隣り合わせて配される第二ユニットケースと、該第二ユニットケースに設けられた発熱部とを備え、前記第二ユニットケースには、前記流れ方向に流れる前記エアーを前記第二ユニットケース内に流入させる吸気孔と、該吸気孔から前記第二ユニットケース内に流入して前記発熱部近傍を通過したエアーを前記第二ユニットケース外に排出する排気孔とが形成されていることを特徴とする。
【０００７】
本発明の電子機器装置では、第一電子機器ユニットの発熱部だけではなく、第二電子機器ユニットの発熱部も、第一電子機器ユニットの冷却用ファンにより冷却することが可能となる。
具体的に説明すれば、第二ユニットケースに吸気孔が形成されていることで、第一ユニットケース内を流れるエアーの一部、あるいは第一ユニットケースの排気口から流れ出たエアーの一部が、吸気孔から第二ユニットケース内に入り込む。これにより、第二ユニットケース内にもエアーの流れが発生する。そして、このエアーが第二電子機器ユニットの発熱部近傍を通過して排気孔から排出されるため、当該発熱部を冷却できる。
以上のことから、第二電子機器ユニットには冷却用ファンを設ける必要がない。言い換えれば、電子機器装置に備える複数の電子機器ユニット全てに冷却用ファンを設けなくても、全ての電子機器ユニットの発熱部を効率よく冷却することが可能となる。
【０００８】
また、本発明の電子機器装置では、第一電子機器ユニットと第二電子機器ユニットとが、第一ユニットケース内におけるエアーの流れ方向の直交方向に配列されているため、第二電子機器ユニットを第一電子機器ユニットよりも前述したエアーの流れ方向下流側に配置して第一電子機器ユニットの冷却用ファンにより第二電子機器ユニットの発熱部を冷却する場合と比較して、前述したエアーの流れ方向に沿う電子機器装置の寸法を小さく抑えることが可能となる。
さらに、本発明の電子機器装置では、前述のように第一電子機器ユニットと第二電子機器ユニットとが配列されるため、第一ユニットケースの前端部が筐体外部に露出するように第一電子機器ユニットを筐体に収容した場合、第一ユニットケースと同じ方向に向く第二ユニットケースの前端部も同様にして筐体外部に露出させることができる。そして、各ユニットケース内部のメンテナンスは、各ユニットケースの前端部側から行われることが多いため、第一電子機器ユニットや第二電子機器ユニットを筐体から取り外すことなく、第二ユニットケース内部のメンテナンスを容易に行うことも可能となる。
【０００９】
そして、前記電子機器装置においては、前記第二ユニットケースの排気孔が、外部に対して前記第一ユニットケースの吸気口と異なる方向に開口しているとよい。
【００１０】
第二ユニットケースの排気孔から外部に排出されるエアーの温度は電子機器装置の周囲温度よりも高いが、上記のように構成することで、第二ユニットケースから排出されたエアーが第一ユニットケース内に流れ込むことを防止できる。すなわち、第一電子機器ユニット及び第二電子機器ユニットの発熱部を効率よく冷却できる。
【００１１】
また、前記電子機器装置においては、前記第二電子機器ユニットの発熱部が、前記第二ユニットケースの後端部に設けられ、前記筐体に収容された前記第一ユニットケースの後端部側には、前記排気口から流れ出た前記エアーにより前記第二ユニットケースの後端部において渦流を発生させる渦流発生部材が設けられているとよい。
【００１２】
上記構成によれば、第一ユニットケースの排気口から流れ出たエアーによって発生する渦流が、第二ユニットケースの後端部に設けられた発熱部の近傍を通過するため、第二電子機器ユニットに冷却用ファンを設けなくても、第二電子機器ユニットの発熱部を効率よく冷却することができる。
【００１３】
さらに、前記電子機器装置において、前記渦流発生部材は、前記第二ユニットケースとの間に隙間を形成するように、かつ、前記第一ユニットケース内におけるエアーの流れ方向に沿う前記渦流発生部材の位置が前記第二ユニットケースの後端部に一致するように配されていると、さらに好ましい。
【００１４】
上記構成では、上記隙間を通過するエアーの速度が、第一ユニットケース内を流れるエアーの速度よりも速くなるため、第二ユニットケースの後端部において発生する渦流の速度やサイズが大きくなる。したがって、第二電子機器ユニットの発熱部をさらに効率よく冷却することが可能となる。
【００１５】
さらに、前記電子機器装置においては、複数の前記第一電子機器ユニットが、同一の前記第二電子機器ユニットに隣り合わせて配されていると好ましい。
【００１６】
この構成では、一部の第一電子機器ユニットの冷却用ファンが故障したとしても、残りの第一電子機器ユニットの冷却用ファンにより、第二電子機器ユニットの発熱部を冷却できる。
特に、第二電子機器ユニットが電子機器装置の稼動に必要不可欠であり、かつ、複数の第一電子機器ユニットが冗長構成（一部の第一電子機器ユニットだけで電子機器装置を稼動できる構成）となっていれば、電子機器装置を稼動させたままで、故障した冷却用ファンを備える第一電子機器ユニットを容易に交換することが可能となる。
【発明の効果】
【００１７】
本発明によれば、電子機器装置において点検・修理すべき冷却用ファンの数が従来よりも少なくなるため、電子機器装置のメンテナンスを容易に行うことができる。また、電子機器装置の製造コストも削減できる。
また、本発明によれば、第一電子機器ユニットと第二電子機器ユニットとが、第一ユニットケース内におけるエアーの流れ方向の直交方向に配列されることで、このエアーの流れ方向に沿う電子機器装置の寸法を小さく抑えることができ、さらに、第二ユニットケース内部のメンテナンスも容易に行うこともできる。
【図面の簡単な説明】
【００１８】
【図１】本発明の一実施形態に係る電子機器装置を示す斜視図である。
【図２】図１に示す電子機器装置の要部を示す側断面図である。
【図３】図２のＡ−Ａ矢視断面図である。
【発明を実施するための形態】
【００１９】
以下、図面を参照して本発明の一実施形態について説明する。
図１〜３に示すように、この実施形態に係る電子機器装置１は、例えば複数の電子機器ユニットを備える電子機器装置として使用するものであり、筐体１０と、筐体１０に対して挿抜可能に収容される複数の電子機器ユニット２０，３０とを備えている。
筐体１０は、複数の電子機器ユニット２０，３０を収容するための空洞部１５を有している。本実施形態では、空洞部１５が筐体１０の前面部１１に開口している。これにより、各電子機器ユニット２０，３０は、前面部１１側から筐体１０の奥行方向（Ｙ軸方向）に挿抜可能とされている。また、前面部１１の開口部分は、複数の電子機器ユニット２０，３０を筐体１０の高さ方向（Ｚ軸方向）に配列して収容できるように縦長に形成されている。
【００２０】
より具体的に説明すれば、本実施形態の筐体１０には、前面部１１の開口部分から筐体１０内部に向けて延びる内側面部１４が形成されている。なお、図示例における内側面部１４は、筐体１０の幅方向（Ｘ軸方向）に互いに対向する一対の内側面部１４Ａ（図３参照）と、筐体１０の高さ方向（Ｚ軸方向）に互いに対向する一対の内側面部（内側上面部１４Ｂ（図２参照）及び内側下面部（不図示））とを含む。
この内側面部１４は、筐体１０の空洞部１５を画成する外側面部１３の内側に間隔をあけて位置している。なお、図示例における筐体１０の外側面部１３は、筐体１０の前面部１１から後面部１２まで奥行方向に延びる部分であり、筐体１０の幅方向に互いに対向する一対の外側面部１３Ａ（図３参照）と、筐体１０の高さ方向に互いに対向する一対の外側面部（外側上面部１３Ｂ（図２参照）及び外側下面部（不図示））とを含む。
【００２１】
そして、筐体１０の幅方向に対向する一対の内側面部１４Ａには、各電子機器ユニット２０，３０を筐体１０に対して挿抜する際にＹ軸方向に摺動させるためのガイドレール１６が設けられている。なお、このガイドレール１６は、筐体１０に収容された各電子機器ユニット２０，３０を支持する役割も果たす。また、本実施形態では、筐体１０の後面部１２に、空洞部１５を外部に連通させる通風口１７が形成されている。
以上のように構成される筐体１０に各電子機器ユニット２０，３０を収容した状態では、各電子機器ユニット２０，３０が筐体１０の後面部１２や外側面部１３の内側に間隔をあけて位置する。また、この状態では、各電子機器ユニット２０，３０の前面パネル（前端部２３，３３）のみが筐体１０の前面部１１側から外部に露出している。
【００２２】
複数の電子機器ユニット２０，３０には、第一電子機器ユニット２０と第二電子機器ユニット３０とがある。本実施形態の電子機器装置１では、第一電子機器ユニット２０が複数設けられ、第二電子機器ユニット３０が一つだけ設けられている。第二電子機器ユニット３０は、例えば、第一電子機器ユニット２０の動作を制御する制御ユニットであり、電子機器装置１の稼動には必要不可欠なものである。一方、複数の第一電子機器ユニット２０は、例えば、一部の第一電子機器ユニット２０だけでも電子機器装置１を稼動できる構成（冗長構成）となっている。
第二電子機器ユニット３０は、第一電子機器ユニット２０に対して複数の電子機器ユニット２０，３０の配列方向に隣り合わせて配されている。本実施形態では、第二電子機器ユニット３０が、二つの第一電子機器ユニット２０の間に挟み込まれるように配されている。
【００２３】
各第一電子機器ユニット２０は、第一ユニットケース２１と冷却用ファン２２とを備える。第一ユニットケース２１の内部には、電子機器装置１の稼動時に発熱する電子部品（発熱部；不図示）を含む各種電子部品（不図示）が設けられている。また、冷却用ファン２２は、外部のエアーを第一ユニットケース２１の前端部２３に形成された吸気口２５から吸気し、第一ユニットケース２１の内部に流した上で第一ユニットケース２１の後端部２４に形成された排気口２６から外部に排気するように、第一ユニットケース２１に設けられている。すなわち、冷却用ファン２２は、第一ユニットケース２１内に配された発熱部の熱を外部に排出して、この発熱部を冷却する役割を果たす。
冷却用ファン２２による第一ユニットケース２１内でのエアーの流れ方向ＦＬ１は、複数の電子機器ユニット２０，３０の配列方向に直交している。
【００２４】
本実施形態では、第一ユニットケース２１の吸気口２５が、第一ユニットケース２１のうち筐体１０の前面部１１側から外部に露出する前面パネル（前端部２３）に形成されている。また、第一ユニットケース２１の排気口２６が、第一ユニットケース２１のうち筐体１０に対する挿入方向先端側の端部（後端部２４）に形成されている。これにより、本実施形態では、第一ユニットケース２１内でのエアーの流れ方向ＦＬ１が、各電子機器ユニット２０，３０を筐体１０に挿入する方向（Ｙ軸正方向）に一致している。
また、本実施形態では、冷却用ファン２２が第一ユニットケース２１の内部に設けられ、特に、前端部２３側に寄せた位置に配されている。
【００２５】
第二電子機器ユニット３０は、第二ユニットケース３１内部に、電子機器装置１の稼動時に発熱する電子部品（発熱部３２）を配して構成されている。本実施形態では、発熱部３２が、第二ユニットケース３１のうち筐体１０に対する挿入方向先端側の端部（後端部３４）に設けられている。
また、本実施形態では、第二ユニットケース３１の後端部３４が外部に開口しており、この開口部分がヒートシンク等のように熱伝導率の高い放熱部品３５によって塞がれている。また、放熱部品３５のうち第二ユニットケース３１の外部に露出する部分には、多数のフィン（不図示）が形成されている。前述した発熱部３２は、第二ユニットケース３１内に配されるように、放熱部品３５に固定されている。
【００２６】
また、第二ユニットケース３１には、冷却用ファン２２によって第一ユニットケース２１の前端部２３側から後端部２４側に向けて流れるエアーを第二ユニットケース３１内に流入させる吸気孔３６が形成されている。本実施形態では、第二ユニットケース３１に隣り合う第一ユニットケース２１内を流れるエアーの一部を吸気孔３６から第二ユニットケース３１内に流入させるため、この第一ユニットケース２１には、その内部空間を吸気孔３６に連通させる連通孔２８が形成されている。
また、吸気孔３６は、第二ユニットケース３１内に流入したエアーが第二電子機器ユニット３０の発熱部３２近傍を通過する位置に配されている。本実施形態では、発熱部３２が第二ユニットケース３１の後端部３４に設けられているため、吸気孔３６が発熱部３２に対して複数の電子機器ユニット２０，３０の配列方向に並ぶように第二ユニットケース３１の後端部３４側に配されている。
なお、図示例の吸気孔３６は、第二ユニットケース３１の幅方向（Ｘ軸方向）に多数配列されるように形成されているが、例えば第二ユニットケース３１の幅方向に延びるスリット状に形成されてもよい。
【００２７】
さらに、第二ユニットケース３１には、吸気孔３６から第二ユニットケース３１内に流入して発熱部３２近傍を通過したエアーを第二ユニットケース３１外に排出する排気孔３７が形成されている。
本実施形態の排気孔３７は、第二ユニットケース３１内に流れ込んだエアーが第二ユニットケース３１全体を通るように、第二ユニットケース３１の前端部３３側に形成されている。また、本実施形態の排気孔３７は、第二ユニットケース３１外に排出されたエアーが吸気口２５から再び第一ユニットケース２１内に吸気されないように、第一ユニットケース２１の吸気口２５と異なる方向に開口している。具体的には、第二ユニットケース３１内を流れたエアーが筐体１０の空洞部１５に排出されるように、排気孔３７が第二ユニットケース３１の幅方向の側端部に形成されている。本実施形態では、第二ユニットケース３１の側端部が筐体１０の幅方向の内側面部１４Ａに対向するため、この内側面部１４Ａには、空洞部１５を排気孔３７に連通させる連通孔１８が形成されている。
なお、図示例では、排気孔３７が第二ユニットケース３１の幅方向の両側端部に形成されているが、例えば一方の側端部にのみ形成されてもよい。また、図示例の排気孔３７は、第二ユニットケース３１の厚さ方向（Ｚ軸方向）に多数配列されるように形成されているが、例えば第二ユニットケース３１の厚さ方向に延びるスリット状に形成されてもよい。
【００２８】
また、本実施形態の第二ユニットケース３１内には、耐熱性の低い電子部品３８も設けられている。この電子部品３８は、上述した吸気孔３６と排気孔３７との間に配されている。これにより、第二ユニットケース３１内で吸気孔３６から排気孔３７に向けて流れるエアーが、耐熱性の低い電子部品３８を通過することになる。
【００２９】
また、電子機器装置１では、筐体１０に収容された状態で第二ユニットケース３１に隣り合う第一ユニットケース２１の後端部２４側に、第一ユニットケース２１の排気口２６から流れ出たエアーにより第二ユニットケース３１の後端部３４において渦流ＶＦを発生させる渦流発生部材５０が設けられている。
本実施形態の渦流発生部材５０は、板状に形成され、渦流発生部材５０の厚さ方向が第一ユニットケース２１内におけるエアーの流れ方向ＦＬ１に沿うように、また、第二ユニットケース３１との間に隙間５１を形成するように配されている。より具体的に説明すれば、渦流発生部材５０は、第二ユニットケース３１に対して複数の電子機器ユニット２０，３０の配列方向に間隔をあけて配されており、これによって前述した隙間５１が形成されている。
【００３０】
また、本実施形態の渦流発生部材５０は、冷却用ファン２２や吸気孔３６、連通孔２８よりも第一ユニットケース２１内におけるエアーの流れ方向ＦＬ１下流側に配されている。具体的には、第一ユニットケース２１内におけるエアーの流れ方向ＦＬ１に沿う渦流発生部材５０の位置が第二ユニットケース３１の後端部３４に一致するように、渦流発生部材５０が配されている。
そして、本実施形態では、渦流発生部材５０が第一ユニットケース２１の後端部２４に一体に形成されている。このため、渦流発生部材５０と第二ユニットケース３１との隙間５１は、第一ユニットケース２１の排気口２６によって構成されている。
【００３１】
次に、以上のように構成される電子機器装置１において、各電子機器ユニット２０，３０の発熱部３２や耐熱性の低い電子部品３８を冷却する方法について説明する。
複数の電子機器ユニット２０，３０を収容した状態で電子機器装置１を稼動させると、各第一電子機器ユニット２０の冷却用ファン２２が作動する。これにより、外部のエアーが吸気口２５から各第一ユニットケース２１内に吸気され、排気口２６に向けて流れる。各第一電子機器ユニット２０の発熱部は、第一ユニットケース２１内を流れるエアーによって冷却される。また、各第一ユニットケース２１の排気口２６から排出されたエアーは、筐体１０内部を通って筐体１０の後面部１２に形成された通風口１７から筐体１０の外部に排出される。
【００３２】
また、第二ユニットケース３１には吸気孔３６が形成されているため、第二ユニットケース３１に隣り合う第一ユニットケース２１内において流れるエアーの一部は、吸気孔３６から第二ユニットケース３１内に入り込む。これにより、第二ユニットケース３１内にもエアーの流れが発生する。そして、このエアーが第二電子機器ユニット３０の発熱部３２近傍を通過して排気孔３７から排出されるため、当該発熱部３２を冷却することができる。
特に、本実施形態では、吸気孔３６が発熱部３２の近くに形成されていることで、発熱部３２近傍を流れるエアーの速度が大きくなるため、また、二つの第一ユニットケース２１から同一の第二ユニットケース３１内にエアーが流れ込むため、発熱部３２を効率よく冷却できる。
また、本実施形態では、吸気孔３６から排気孔３７に向けて第二ユニットケース３１内を流れるエアーが耐熱性の低い電子部品３８を通過するため、当該電子部品３８も冷却できる。言い換えれば、電子部品３８が第二電子機器ユニット３０に隣り合う第一電子機器ユニット２０の発熱部の熱による煽りを防止できる。
【００３３】
また、第二ユニットケース３１の後端部３４には、第二ユニットケース３１に隣り合う第一ユニットケース２１の排気口２６から流れ出たエアーによって渦流ＶＦが発生する。この渦流ＶＦが第二ユニットケース３１の後端部に設けられた発熱部３２の近傍を通過することにより、第二電子機器ユニット３０の発熱部３２が冷却される。
本実施形態では、発熱部３２が放熱部品３５に固定された上で、放熱部品３５が第二ユニットケース３１の後端部３４から外部に露出しているため、渦流ＶＦが放熱部品３５を通過することで、発熱部３２が放熱部品３５を介して冷却される。また、本実施形態では、放熱部品３５の多数のフィンが外部に露出しているため、渦流ＶＦが多数のフィンの間に入り込むことで、発熱部３２を高い効率で冷却することができる。
【００３４】
さらに、本実施形態の渦流発生部材５０は、第二ユニットケース３１との間に隙間５１を形成するように、かつ、第一ユニットケース２１内におけるエアーの流れ方向ＦＬ１に沿う渦流発生部材５０の位置が第二ユニットケース３１の後端部３４に一致するように配されている。このため、隙間５１を通過するエアーの速度が第一ユニットケース２１内を流れるエアーの速度よりも速くなり、第二ユニットケース３１の後端部３４において発生する渦流ＶＦの速度やサイズが大きくなる。したがって、第二電子機器ユニット３０の発熱部３２をさらに効率よく冷却することができる。
また、本実施形態では、二つの第一ユニットケース２１の排気口２６から排出されたエアーによって、同一の第二ユニットケース３１の後端部３４に二つの渦流ＶＦが発生するため、第二電子機器ユニット３０の発熱部３２を効率よく冷却することができる。
【００３５】
以上説明したように、本実施形態による電子機器装置１によれば、第一電子機器ユニット２０の冷却用ファン２２によって、第一電子機器ユニット２０の発熱部だけではなく、第二電子機器ユニット３０の発熱部３２や電子部品３８も冷却することが可能となる。したがって、電子機器装置１において点検・修理すべき冷却用ファン２２の数が従来よりも少なくなり、電子機器装置１のメンテナンスを容易に行うことができる。また、電子機器装置１の製造コストも削減できる。
【００３６】
さらに、本実施形態の電子機器装置１では、筐体１０に収容された第一電子機器ユニット２０と第二電子機器ユニット３０とが、第一ユニットケース２１内におけるエアーの流れ方向ＦＬ１の直交方向に配列されているため、第二電子機器ユニット３０を第一電子機器ユニット２０よりも前述したエアーの流れ方向ＦＬ１下流側に配置して第一電子機器ユニット２０の冷却用ファン２２により第二電子機器ユニット３０の発熱部３２を冷却する場合と比較して、前記エアーの流れ方向ＦＬ１に沿う電子機器装置１の寸法を小さく抑えることが可能となる。
また、各ユニットケース２１，３１内部のメンテナンスは、各ユニットケース２１，３１の前面パネル（前端部２３，３３）側から行われることが多いが、本実施形態の電子機器装置１では、筐体１０に収容された各電子機器ユニット２０，３０の前端部２３，３３が筐体１０の外部に露出しているため、第一電子機器ユニット２０や第二電子機器ユニット３０を筐体１０から取り外すことなく、第二ユニットケース３１内部のメンテナンスを容易に行うことも可能となる。
【００３７】
また、第一ユニットケース２１の排気口２６や第二ユニットケース３１の排気孔３７から外部に排出されるエアーの温度は、電子機器装置１の周囲温度よりも高いが、本実施形態の電子機器装置１では、これら排出されたエアーが吸気口２５から再び第一ユニットケース２１内に吸気されることがないため、第一電子機器ユニット２０及び第二電子機器ユニット３０の発熱部３２や電子部品３８を効率よく冷却できる。
具体的に説明すれば、第二ユニットケース３１の排気孔３７は第一ユニットケース２１の吸気口２５と異なる方向に開口しているため、第二ユニットケース３１から排出されたエアーが吸気口２５から第一ユニットケース２１内に流れ込むことを防止できる。特に、本実施形態では、排気孔３７が筐体１０の空洞部１５に開口していることで、第二ユニットケース３１から排出されたエアーが空洞部１５に入り込み、さらに、筐体１０の後面部１２に形成された通風口１７から筐体１０の外部に排出されるため、第二ユニットケース３１から排出されたエアーが筐体１０の前面部１１側に配された吸気口２５から再度第一ユニットケース２１内に流れ込むことを確実に防止できる。また、第一ユニットケース２１の排気口２６から排出されたエアーも、同様にして、筐体１０の空洞部１５に入り込んだ上で通風口１７から外部に排出されるため、再度第一ユニットケース２１内に流れ込むことを確実に防止できる。
【００３８】
さらに、本実施形態の電子機器装置１によれば、複数の第一電子機器ユニット２０が同一の第二電子機器ユニット３０に隣り合わせて配されているため、例えば一部の第一電子機器ユニット２０の冷却用ファン２２が故障したとしても、残りの第一電子機器ユニット２０の冷却用ファン２２により第二電子機器ユニット３０の発熱部３２や電子部品３８を冷却することができる。
さらに、本実施形態の電子機器装置１では、複数の第一電子機器ユニット２０が冗長構成となっているため、電子機器装置１を稼動させたままで、故障した冷却用ファン２２を備える第一電子機器ユニット２０を容易に交換することが可能となる。
【００３９】
以上、本発明の一実施形態について説明したが、本発明の技術的範囲はこれに限定されることはなく、本発明の技術的思想を逸脱しない範囲で適宜変更可能である。
例えば、第二ユニットケース３１の吸気孔３６は、上記実施形態のように、第一ユニットケース２１内を流れるエアーを第二ユニットケース３１内に流入させる位置に形成されることに限らず、第一ユニットケース２１の排気口２６から後端部２４側に排出された後のエアーを第二ユニットケース３１内に流入させる位置に形成されてもよい。すなわち、吸気孔３６は、第一ユニットケース２１の後端部２４よりも第一ユニットケース２１内におけるエアーの流れ方向ＦＬ１下流側に位置してもよい。このように吸気孔３６を配置するためには、例えば第一ユニットケース２１の後端部２４を、第二ユニットケース３１の後端部３４よりも冷却用ファン２２によるエアーの流れ方向ＦＬ１上流側に位置させればよい。この場合、第一ユニットケース２１には上記実施形態のような連通孔２８を形成する必要がない。
【００４０】
さらに、第二電子機器ユニット３０の発熱部３２は、第二ユニットケース３１内に配されているが、例えば、第二ユニットケース３１の外部に配されてもよい。
また、第二ユニットケース３１の外部に配されるように発熱部３２を放熱部品３５に固定した場合には、例えば放熱部品３５の多数のフィンが第二ユニットケース３１内に配されてもよい。この場合には、吸気孔から第二ユニットケース３１内に流入したエアーを多数のフィンの間に入り込ませて、発熱部３２を効率よく冷却することができる。
さらに、第二電子機器ユニット３０は、例えば上記放熱部品３５を備えなくてもよい。この場合、第二ユニットケース３１は、その後端部３４が外部に開口しないように形成されればよく、第二ユニットケース３１の後端部３４の内側若しくは外側に発熱部３２を設ければよい。
【００４１】
また、上記実施形態では、同一の第二電子機器ユニット３０に対して、二つの第一電子機器ユニット２０が隣り合わせて配されているが、例えば一つあるいは三つ以上の第一電子機器ユニット２０が隣り合わせて配されてもよい。なお、三つ以上の第一電子機器ユニット２０を同一の第二電子機器ユニット３０に隣り合わせる場合には、筐体１０における複数の電子機器ユニット２０，３０の配列を工夫すればよい。
【００４２】
さらに、渦流発生部材５０は、上記実施形態のように、板状に形成されることに限らず、また、第一ユニットケース２１に一体に形成されることに限らず、少なくとも第一ユニットケース２１の排気口２６から流れ出たエアーにより第二ユニットケース３１の後端部３４において渦流ＶＦを発生させるように設けられていればよい。したがって、渦流発生部材５０は、例えば第一ユニットケース２１と別体に設けられていてもよい。この場合、渦流発生部材５０は、例えば筐体１０や第二ユニットケース３１に固定されてもよい。
【００４３】
また、上記実施形態では、冷却用ファン２２による第一ユニットケース２１内でのエアーの流れ方向ＦＬ１が、筐体１０に対する電子機器ユニット２０，３０の挿入方向に一致しているが、例えば一致していなくてもよい。
さらに、冷却用ファン２２は、上記実施形態のように第一ユニットケース２１の内部に設けられることに限らず、少なくとも第一ユニットケース２１内において吸気口２５から排気口２６に向かうエアーの流れが発生するように第一ユニットケース２１に設けられていればよい。ただし、冷却用ファン２２は、渦流ＶＦの発生を阻害しないように、少なくとも渦流発生部材５０よりもエアーの流れ方向ＦＬ１上流側に配置されていることが好ましい。
【００４４】
また、各ユニットケース２１，３１から筐体１０の空洞部１５に入り込んだエアーを筐体１０の外部に排気する通風口１７は、上記実施形態のように筐体１０の後面部１２に形成されることに限らず、例えば外側面部１３や前面部１１に形成されてもよい。ただし、各電子機器ユニット２０，３０の発熱部３２や電子部品３８の冷却効率を考慮すると、前面部１１には上記通風口１７を形成しないことがより好ましい。
【００４５】
そして、上記実施形態では、第二電子機器ユニット３０の発熱部３２や電子部品３８を冷却するための構造として、第二ユニットケース３１内にエアーを吸気する機構（吸気孔３６及び排気孔３７）、及び、渦流発生部材５０の両方が設けられているが、少なくともいずれか一方が設けられていればよい。なお、渦流発生部材５０を設けない場合、吸気孔３６にエアーを誘導する構造が必要となるが、発熱部３２は第二ユニットケース３１の後端部３４に限らず、少なくとも第二ユニットケース３１内を流れるエアーが通過する位置に配されていればよい。
【符号の説明】
【００４６】
１  電子機器装置
１０  筐体
２０  第一電子機器ユニット
２１  第一ユニットケース
２２  冷却用ファン
２３  前端部
２４  後端部
２５  吸気口
２６  排気口
３０  第二電子機器ユニット
３１  第二ユニットケース
３２  発熱部
３４  後端部
３６  吸気孔
３７  排気孔
５０  渦流発生部材
５１  隙間
ＦL１  エアーの流れ方向
ＶＦ  渦流
【図１】
2014053569.tif 000003
【図２】
2014053569.tif 000004
【図３】
2014053569.tif 000005